(57)【要約】      （修正有）【課題】色合い、光沢又は質感を異にする複数種の色調原料を混合して所望の色合いのジェルネイルをできるだけ容易に得るジェルネイル調合装置を提供する。【解決手段】色合い、光沢又は質感を異にする複数種の色調原料を各々収容している各原料容器１２と、各原料容器１２内の色調原料の所定量を各々分取する分取装置１４と、分取装置１４を制御する制御装置１６とを備え、制御装置１６は、色見本を選択することによって、該色見本に関連付けられている混合比率の情報に基づいて各原料容器１２内に収容されている複数種の色調原料を所定の比率で分取させ、該分取させた複数種の色調原料を混合させて所望の色合い、光沢又は質感のジェルネイルを得るように構成されている。【選択図】図１
0003214634.tif 000002
【実用新案登録請求の範囲】
【請求項１】
色合い、光沢又は質感の原料となる色調原料を各々収容している各原料容器と、該各原料容器内の該色調原料の所望量を各々分取する分取装置と、該分取装置を制御する制御装置とを備え、該制御装置は、該色調原料の混合比率と、該混合比率で該色調原料を混合して形成された色調とを関連付けた情報を記憶している記憶部と、該色調原料を種々の混合比率で混合して形成された色調の色見本を表示し、選択された色見本に対応した混合比率の情報を記憶部から求めて出力する選択部と、該選択部から出力された混合比率の情報に基づいて該分取装置を制御し、該各原料容器から所望量の色調原料を該分取装置に分取させる制御部とを備えていることを特徴とするジェルネイル調合装置。
【請求項２】
前記色調原料が、色合い、光沢又は質感を異にするジェルネイルであることを特徴とする請求項１に記載のジェルネイル調合装置。
【請求項３】
前記色調原料が、色合い、光沢又は質感を異にするアクリル絵の具又はラメパウダーであることを特徴とする請求項１に記載のジェルネイル調合装置。
【請求項４】
前記制御装置が複数種の色調原料を任意の混合比率で混合して形成される色合い、光沢又は質感を電子的に表示する色混合部を備えていることを特徴とする請求項１に記載のジェルネイル調合装置。
【請求項５】
前記分取装置によって分取された該複数種の色調原料を混合する混合装置を備えていることを特徴とする請求項１に記載のジェルネイル調合装置。
【請求項６】
前記原料容器がチューブ状の容器からなり、前記分取装置が該樹脂液容器を押圧することによって該原料容器内の所望量の色調原料を分取するものであることを特徴とする請求項１に記載のジェルネイル調合装置。
【請求項７】
前記分取装置が、前記原料容器内の色調原料をインジェクタで吸い上げて分取するものであることを特徴とする請求項１に記載のジェルネイル調合装置。
【考案の詳細な説明】
【技術分野】
【０００１】
本考案は、所望の色合い、光沢又は質感のジェルネイルを容易に得ることができるジェルネイル調合装置に関するものである。
【背景技術】
【０００２】
女性は手や足の爪の表面にネイルを付けておしゃれを楽しんでいる。ネイルとしては爪の表面にマニキュア液を塗って乾かしたものが一般的であった。マニキュア液はマニキュア液は着色した合成樹脂を有機溶剤で溶かしたものからなり、ラッカー塗料と類似のものであり、爪の表面に塗った後、乾かす必要がある。
【０００３】
爪の表面に塗ったマニキュア液は乾く前に触ると表面が傷付いて汚くなるので、乾いて硬くなるまで、しばらくの間、何かに触れないように気を付けなければならない。このため、爪の表面に塗ったマニキュア液を乾かしている間は他のことをすることができず、とても不便である。
【０００４】
マニキュア液はこのような不便があるので、最近はジェルネイルが使われるようになってきている。ジェルネイルは、爪の表面に塗った後、紫外線を照射して硬化させるものである。ジェルネイルは、爪の表面に塗った後、直ちに硬化させることができるので、使い勝手がとても良い。このため、ジェルネイルは最近広く使われるようになってきている。
【０００５】
ジェルネイルには色合い、光沢又は質感の異なる種々のものが販売されており、初心者は好きな色のジェルネイルを選択し、これを爪の表面に付けてネイルを楽しんでいる。中上級者になると、色合い、光沢又は質感の異なる複数種のジェルネイルを混合したり、ラメパウダーを混合したりして、好きな色合い、光沢又は質感のジェルネイルを作り、これを爪の表面に付けてネイルを楽しんでいる。
【０００６】
しかし、色合い、光沢又は質感の異なる複数種のジェルネイルを適宜混合して所望の色合い、光沢又は質感のジェルネイルを作ろうとしても、複数種のジェルネイルを、所望の色合い、光沢又は質感のジェルネイルを得るための混合比率に分取することができず、思い通りの色合い、光沢又は質感のジェルネイルを作ることができないという問題がある。
【先行技術文献】
【特許文献】
【０００７】
【特許文献１】特開２００９−１２６８３３号公報
【特許文献２】特開２０１４−１７１６９９号公報
【考案の概要】
【考案が解決しようとする課題】
【０００８】
本考案が解決しようとする課題は、所望の色合い、光沢又は質感のジェルネイルを調合して作ろうとする場合に、所望の色合い、光沢又は質感のジェルネイルを容易に作ることができない点である。
【課題を解決するための手段】
【０００９】
本考案は、所望の色合い、光沢又は質感のジェルネイルを容易に調合可能とするため、複数種のジェルネイルの混合比率と、この混合比率で形成したジェルネイルの色合い、光沢、質感とを関連付け、ジェルネイルの色合い、光沢、質感を指定することにより、ジェルネイルの色合い、光沢、質感と関連付けられた混合比率で複数種のジェルネイルを各々分取して混合することを最も主要な特徴とする。
【考案の効果】
【００１０】
本考案のジェルネイル調合装置は、複数種のジェルネイルの混合比率とこの混合比率で形成したジェルネイルの色合い、光沢、質感とが予め関連付けられているので、複数種のジェルネイルの混合比率を試行錯誤して探す必要がなく、従って、所望の色合い、光沢、質感のジェルネイルを容易に調合することができるという利点がある。
【図面の簡単な説明】
【００１１】
【図１】図１は本考案に係るジェルネイル調合装置の説明図である。
【図２】図２は本考案に係るジェルネイル調合装置の選択部の説明図である。
【図３】図３は本考案に係るジェルネイル調合装置の色混合部の説明図である。
【考案を実施するための形態】
【００１２】
複数種のジェルネイルを混合して、所望の色合い、光沢又は質感のジェルネイルを容易に作るという目的を、簡単な装置により、扱う者の個人的な技能に頼ることなく実現した。
【実施例１】
【００１３】
図１は本考案に係るジェルネイル調合装置の説明図、図２は本考案に係るジェルネイル調合装置の色見本部の説明図、図３は本考案に係るジェルネイル調合装置の色混合部の説明図である。
【００１４】
これらの図において、１０はジェルネイル調合装置であり、ジェルネイル調合装置１０は、種類の異なる複数種のジェルネイルを各々収容している各原料容器１２と、原料容器１２内に収容されている各ジェルネイルを分取する分取装置１４と、分取装置１４を制御する制御装置１６と、分取装置１４によって分取された複数種のジェルネイルを混合して混合ジェルネイルを得る混合装置１８とを備えている。
【００１５】
各原料容器１２内には、色合い、光沢又は質感の異なる複数種のジェルネイルが各々収容されている。シ?ェルネイルはメタクリル酸エステルモノマー・アクリル酸オリコ?マー・光重合開始剤(フォトイニシエーター)を主成分とした粘液状のものからなる。紫外線や可視光線を照射すると、光重合開始剤か?光を吸収して活性化し、メタクリル酸エステルモノマー・アクリル酸オリコ?マーが光重合(フォトホ?リマリセ?ーション)を生じ、硬化する。
【００１６】
分取装置１４としては、例えば、原料容器１２がチューブ状の容器からなり、原料容器１２を押圧することによって所望量のジェルネイルを混合装置１８内に注入できるようにしたもの、又は原料容器１２内のジェルネイルをインジェクタで吸い上げて、該インジェクタ内のジェルネイルを混合装置１８内に注入するようにしたものを例示することができるが、所望量のジェルネイルを分取して混合装置１８内に入れることができるものであれば、これら以外の構造の装置でもよい。
【００１７】
制御装置１６は、ジェルネイルの混合比率の情報と、混合して得られたジェルネイルの色合いの情報とを関連付けて記憶している記憶部２０と、記憶部２０に記憶されている情報からジェルネイルの混合比率の情報を選択する選択部２２と、選択部２２によって選択された情報に基づいて分取装置１４を制御する制御部２４とを備えている。
【００１８】
すなわち、記憶部２０は、複数種のジェルネイルを所定比率で混合して得られた色合いの情報と複数種のジェルネイルの所定比率の情報とを関連付けて記憶している。選択部２２は、複数の色見本部２６を有しており、特定の色見本部２６を指定すると、特定の色見本部２６が表示している色見本に対応した複数種のジェルネイルの混合比率の情報を記憶部２０から得て、制御部２４に出力するようになっている。
【００１９】
制御部２４は特定の色見本部２６が表示している色見本に対応した複数種のジェルネイルの混合比率の情報に基づいて分取装置１４を制御し、複数種のジェルネイルを、色見本に対応した混合比率で、分取装置１４に分取させるようになっている。
【００２０】
なお、制御装置１６には複数種のジェルネイルを任意の混合比率で混合して所望の色合い、光沢又は質感のものを形成することができる色混合部２８を設けてもよい。そして、色混合部２８で得られた複数種のジェルネイルの混合比率の情報を制御部２４に出力して、分取装置１４に複数種のジェルネイルを分取させるようにしてもよい。
【００２１】
また、色混合部２８で形成した色合い、光沢又は質感は選択部２２の色見本部２６に表示させるとともに、複数種のジェルネイルの混合比率の情報は色合い、光沢又は質感と関連付けて記憶部２０に記憶させ、これを選択部２２で選択して出力できるようにしてもよい。
【実施例２】
【００２２】
上記実施例１では色合い、光沢又は質感の異なる複数種のジェルネイルを混合して所望の色合い、光沢又は質感のジェルネイルを得る例について説明したが、本考案はこの例に限定されるものではない。色合いの異なる複数種のアクリル絵の具やラメを分取装置１４により分取し、これらを透明なジェルネイル又は白色のジェルネイルとともに混合装置１８で混合して、所望の色合い、光沢又は質感のジェルネイルを得るようにしても良い。
【符号の説明】
【００２３】
１０  ジェルネイル調合装置
１２  原料容器
１４  分取装置
１６  制御装置
１８  混合装置
２０  記憶部
２２  選択部
２４  制御部
２６  色見本部
２８  色混合部
【図１】
0003214634.tif 000003
【図２】
0003214634.tif 000004
【図３】
0003214634.tif 000005
【手続補正書】
【提出日】平成29年11月22日(2017.11.22)
【手続補正１】
【補正対象書類名】実用新案登録請求の範囲
【補正対象項目名】全文
【補正方法】変更
【補正の内容】
【実用新案登録請求の範囲】
【請求項１】
色合い、光沢又は質感の原料となる色調原料を各々収容している各原料容器と、該各原料容器内の該色調原料の所望量を各々分取する分取装置と、該分取装置を制御する制御装置とを備え、該制御装置は、該色調原料の混合比率と、該混合比率で該色調原料を混合して形成された色調とを関連付けた情報を記憶している記憶部と、該色調原料を種々の混合比率で混合して形成された色調の色見本を表示し、選択された色見本に対応した混合比率の情報を記憶部から求めて出力する選択部と、該選択部から出力された混合比率の情報に基づいて該分取装置を制御し、該各原料容器から所望量の色調原料を該分取装置に分取させる制御部とを備えていることを特徴とするジェルネイル調合装置。
【請求項２】
前記色調原料が、色合い、光沢又は質感を異にするジェルネイルであることを特徴とする請求項１に記載のジェルネイル調合装置。
【請求項３】
前記色調原料が、色合い、光沢又は質感を異にするアクリル絵の具又はラメパウダーであることを特徴とする請求項１に記載のジェルネイル調合装置。
【請求項４】
前記制御装置が複数種の色調原料を任意の混合比率で混合して形成される色合い、光沢又は質感を電子的に表示する色混合部を備えていることを特徴とする請求項１に記載のジェルネイル調合装置。
【請求項５】
前記分取装置によって分取された複数種の色調原料を混合する混合装置を備えていることを特徴とする請求項１に記載のジェルネイル調合装置。
【請求項６】
前記原料容器がチューブ状の容器からなり、前記分取装置が該原料容器を押圧することによって該原料容器内の所望量の色調原料を分取するものであることを特徴とする請求項１に記載のジェルネイル調合装置。
【請求項７】
前記分取装置が、前記原料容器内の色調原料をインジェクタで吸い上げて分取するものであることを特徴とする請求項１に記載のジェルネイル調合装置。